(57)【要約】【課題】任意の色彩の光を発し、発せられた光の色彩に対応した楽音を発生することにより、光による付加的効果が高く且つ音と光の対応関係が捉えやすい楽音発生装置を提供する。【解決手段】楽音情報に対応づけられた色彩を付することにより楽音情報を記録する色ディスク３に光を照射する光源部５と、前記光源からの光が色ディスク３を透過することにより前記記録媒体に付した色彩とされた透過光を楽音に変換するための電気信号に変換して出力する光−電気変換部１０と、光−電気変換部１０から出力された電気信号を楽音に変換する電気−音変換部１１とを備える。【選択図】図１
2006323287.tif 000002
【特許請求の範囲】
【請求項１】
楽音情報に対応づけられた色彩を付することにより楽音情報を記録する記録媒体に光を照射する光源と、
前記光源からの光が前記記録媒体を透過することにより前記記録媒体に付した色彩とされた透過光を楽音に変換するための電気信号に変換して出力する光−電気変換部と、
前記光−電気変換部から出力された電気信号を楽音に変換する電気−音変換部と、
を備えることを特徴とする楽音発生装置。
【請求項２】
前記光−電気変換部は、
各々が異なる範囲の波長成分の光を検出して検出結果を出力する複数の受光素子と、
前記複数の受光素子から出力される検出結果に基づいて電気信号を生成する電気信号生成部と、
を有することを特徴とする請求項１記載の楽音発生装置。
【請求項３】
前記光−電気変換部は、
前記記録媒体を透過した透過光を波長成分ごとに分光して、分光された光を波長成分ごとに異なる複数の位置に照射する分光器と、
前記分光器により分光された光が照射される前記複数の位置に１対１対応で配置され、照射された光を検出して検出結果を出力する複数の受光素子と、
前記複数の受光素子から出力される検出結果に基づいて電気信号を生成する電気信号生成部と、
を有することを特徴とする請求項１記載の楽音発生装置。
【請求項４】
前記記録媒体は、
前記楽音の音階を示す音階情報を記録する第１トラックと、
前記楽音の音量を示す音量情報を記録する第２トラックと、
前記楽音の音階の基準となる周波数を示す基準周波数情報を記録する第３トラックと、
♯または♭の有無を示す変音情報を記録する第４トラックと、
を有することを特徴とする請求項１乃至請求項３のいずれか１項記載の楽音発生装置。
【請求項５】
前記記録媒体は、
前記楽音の音階を示す音階情報及び前記楽音の音階の基準となる周波数を示す基準周波数情報を記録する第１トラックと、
前記楽音の音量を示す音量情報及び♯または♭の有無を示す変音情報を記録する第２トラックと、
を有することを特徴とする請求項１乃至請求項３のいずれか１項記載の楽音発生装置。
【請求項６】
前記記録媒体は、
前記楽音の音階を示す音階情報、前記楽音の音量を示す音量情報、前記楽音の音階の基準となる周波数を示す基準周波数情報及び♯または♭の有無を示す変音情報を記録するトラックを有することを特徴とする請求項１乃至請求項３のいずれか１項記載の楽音発生装置。
【請求項７】
前記光−電気変換部は、
前記記録媒体の前記第１トラックを透過した透過光を検出して検出結果を出力する第１受光素子群と、
前記記録媒体の前記第２トラックを透過した透過光を検出して検出結果を出力する第２受光素子群と、
前記記録媒体の前記第３トラックを透過した透過光を検出して検出結果を出力する第３受光素子群と、
前記記録媒体の前記第４トラックを透過した透過光を検出して検出結果を出力する第４受光素子群と、
前記第１受光素子群から出力された検出結果に基づいて該検出結果に対応した第１電気信号を生成し、前記第２受光素子群から出力された検出結果に基づいて該検出結果に対応した第２電気信号を生成し、前記第３受光素子群から出力された検出結果に基づいて該検出結果に対応した第３電気信号を生成し、前記第４受光素子群から出力された検出結果に基づいて該検出結果に対応した第４電気信号を生成する電気信号生成手段と、
を有することを特徴とする請求項４記載の楽音発生装置。
【請求項８】
前記第１受光素子群、前記第２受光素子群、前記第３受光素子群及び前記第４受光素子群の各受光素子群は、
各々が異なる範囲の波長成分の光を検出する複数の受光素子を有することを特徴とする請求項７記載の楽音発生装置。
【請求項９】
前記電気−音変換部は、
前記光−電気変換部から出力される電気信号と前記楽音情報との対応関係を示す関係データを記憶するメモリと、
前記光−電気変換部から出力される電気信号と前記メモリに記憶された前記関係データとを照合して、前記電気信号に対応した前記楽音を発生する楽音発生手段と、
を備えることを特徴とする請求項１乃至請求項８のいずれか１項記載の楽音発生装置。
【発明の詳細な説明】
【技術分野】
【０００１】
本発明は、光透過性の色彩で配色することにより楽音情報を記憶する記録媒体に光を透過させることで、記録された楽音情報を読み出して、楽音を発生する楽音発生装置に関する。
【背景技術】
【０００２】
楽音を発生するとともに発生する楽音に同期して光を発することで、楽音のほかに光による付加的効果が得られる楽音発生装置が知られている（例えば、特許文献１）。この楽音発生装置は、メロディデータを記憶する記憶手段と、記憶手段に記憶されたメロディデータをメロディに変換して出力する音出力手段と、音出力手段から出力されるメロディに同期して光を発する発光手段と、発光手段から発せられた光を外方に屈折させる屈折部を備えている。
【特許文献１】特開２０００−２６２７６２号公報
【発明の開示】
【発明が解決しようとする課題】
【０００３】
しかしながら、上記した従来の楽音発生装置は、発生する楽音に同期してランダムに光を発生するだけであるから、音と光の相互に関連性が薄く、光による付加的効果が乏しい。また、従来の楽音発生装置は、再生機構が筐体によって覆われているため音と光の対応関係が捉えづらい。
【０００４】
本発明の課題は、任意の色彩の光を発し、発せられた光の色彩に対応した楽音を発生することにより、光による付加的効果が高く且つ音と光の対応関係が捉えやすい楽音発生装置を提供することにある。
【課題を解決するための手段】
【０００５】
請求項１に記載の発明は、楽音情報に対応づけられた色彩を付することにより楽音情報を記録する記録媒体に光を照射する光源と、前記光源からの光が前記記録媒体を透過することにより前記記録媒体に付した色彩とされた透過光を楽音に変換するための電気信号に変換して出力する光−電気変換部と、前記光−電気変換部から出力された電気信号を楽音に変換する電気−音変換部とを備えることを特徴とする。
【０００６】
請求項２に記載の発明は、請求項１記載の楽音発生装置において、前記光−電気変換部は、各々が異なる範囲の波長成分の光を検出して検出結果を出力する複数の受光素子と、前記複数の受光素子から出力される検出結果に基づいて電気信号を生成する電気信号生成部とを有することを特徴とする。
【０００７】
請求項３に記載の発明は、請求項１記載の楽音発生装置において、前記光−電気変換部は、前記記録媒体を透過した透過光を波長成分ごとに分光して、分光された光を波長成分ごとに異なる複数の位置に照射する分光器と、前記分光器により分光された光が照射される前記複数の位置に１対１対応で配置され、照射された光を検出して検出結果を出力する複数の受光素子と、前記複数の受光素子から出力される検出結果に基づいて電気信号を生成する電気信号生成部とを有することを特徴とする。
【０００８】
請求項４に記載の発明は、請求項１乃至請求項３のいずれか１項記載の楽音発生装置において、前記記録媒体は、前記楽音の音階を示す音階情報を記録する第１トラックと、前記楽音の音量を示す音量情報を記録する第２トラックと、前記楽音の音階の基準となる周波数を示す基準周波数情報を記録する第３トラックと、♯または♭の有無を示す変音情報を記録する第４トラックとを有することを特徴とする。
【０００９】
請求項５に記載の発明は、請求項１乃至請求項３のいずれか１項記載の楽音発生装置において、前記記録媒体は、前記楽音の音階を示す音階情報及び前記楽音の音階の基準となる周波数を示す基準周波数情報を記録する第１トラックと、前記楽音の音量を示す音量情報及び♯または♭の有無を示す変音情報を記録する第２トラックとを有することを特徴とする。
【００１０】
請求項６に記載の発明は、請求項１乃至請求項３のいずれか１項記載の楽音発生装置において、前記記録媒体は、前記楽音の音階を示す音階情報、前記楽音の音量を示す音量情報、前記楽音の音階の基準となる周波数を示す基準周波数情報及び♯または♭の有無を示す変音情報を記録するトラックを有することを特徴とする。
【００１１】
請求項７に記載の発明は、請求項４記載の楽音発生装置において、前記光−電気変換部は、前記記録媒体の前記第１トラックを透過した透過光を検出して検出結果を出力する第１受光素子群と、前記記録媒体の前記第２トラックを透過した透過光を検出して検出結果を出力する第２受光素子群と、前記記録媒体の前記第３トラックを透過した透過光を検出して検出結果を出力する第３受光素子群と、前記記録媒体の前記第４トラックを透過した透過光を検出して検出結果を出力する第４受光素子群と、前記第１受光素子群から出力された検出結果に基づいて該検出結果に対応した第１電気信号を生成し、前記第２受光素子群から出力された検出結果に基づいて該検出結果に対応した第２電気信号を生成し、前記第３受光素子群から出力された検出結果に基づいて該検出結果に対応した第３電気信号を生成し、前記第４受光素子群から出力された検出結果に基づいて該検出結果に対応した第４電気信号を生成する電気信号生成手段とを有することを特徴とする。
【００１２】
請求項８に記載の発明は、請求項７記載の楽音発生装置において、前記第１受光素子群、前記第２受光素子群、前記第３受光素子群及び前記第４受光素子群の各受光素子群は、各々が異なる範囲の波長成分の光を検出する複数の受光素子を有することを特徴とする。
【００１３】
請求項９に記載の発明は、請求項１乃至８のいずれか１項記載の楽音発生装置において、前記電気−音変換部は、前記光−電気変換部から出力される電気信号と前記楽音情報との対応関係を示す関係データを記憶するメモリと、前記光−電気変換部から出力される電気信号と前記メモリに記憶された前記関係データとを照合して、前記電気信号に対応した前記楽音を発生する楽音発生手段とを備えることを特徴とする。
【発明の効果】
【００１４】
本発明によれば、光源から照射された白色の光が記録媒体を透過する際に、記録媒体に付されている色彩に光が変化し、光−電気変換部は記録媒体を透過した透過光を電気信号に変換し、電気−音変換部は光−電気変換部から出力された電気信号を楽音に変換するので、発生する楽音と記録媒体を透過する光の色彩との対応づけを効果的に演出することができるため、付加的効果を高めることができ且つ音と光の対応関係を捉えやすくすることができる。
【発明を実施するための最良の形態】
【００１５】
以下、本発明の実施例に係る楽音発生装置を図面を参照しながら詳細に説明する。
【実施例１】
【００１６】
図１は本発明の実施例１に係る楽音発生装置の外観斜視図、図２は実施例１に係る楽音発生装置を正面から見た見取り図、図３は実施例１に係る楽音発生装置を右側面から見た見取り図である。図１に示すように、本発明の楽音発生装置は、ケース１及びケース２を有しており、ケース１とケース２とは対向する位置に配置され、支柱４により固定されている。
【００１７】
ケース１は、白色の光を発光して色ディスク３に照射する光源部５、装置全体に電力を供給する電源部６、電源スイッチ７及び記録媒体である色ディスク３を回転させるためのモータ８を備えて構成されている。モータ８の回転軸はケース１の上面から突出し、回転軸の先端に色ディスク３を固定するための固定部８ａが取り付けられている。また、ケース１の上面には、光源部５から発せられる光をケース２側に導くための穴９があけられている。
【００１８】
ここで、色ディスク３は、透明な円板状のディスク上を光透過性の色彩で配色したものである。色ディスク３は、楽音に関する楽音情報（楽音の音階、音量、音階の基準となる周波数、♯♭の有無を示す情報）を色彩であらわし、ディスク上を任意の色彩で配色することにより、該色彩に対応する楽音情報を記録する。図４は実施例１の色ディスク３を示す図である。図４に示すように、実施例１の色ディスク３は、楽音情報をトラック状に記録し、楽音の音階を示す音階情報が記録された第１トラック３１、楽音の音量を示す音量情報が記録された第２トラック３２、楽音の音階の基準となる周波数を示す基準周波数情報が記録された第３トラック３３、♯や♭の有無を示す変音情報が記録された第４トラック３４を有している。例えば、色ディスク３は１曲分の楽音情報を記録している。なお、音階情報、音量情報、基準周波数情報及び変音情報は、第１トラック３１〜第４トラック３４のいずれかに記録されていればよい。例えば、音階情報を第４トラックに、音量情報を第３トラックに、基準周波数情報を第２トラックに、変音情報を第１トラックにそれぞれ記録するものとしてもよい。
【００１９】
ケース２は、受光した光を電気信号に変換する光−電気変換部１０、光−電気変換部１０から出力された電気信号を楽音に変換する電気−音変換部１１を備えて構成されている。ケース２の正面には、電気−音変換部１１を構成するスピーカ１２から発せられる音をケース２外に導きやすくするための穴１３があけられている。また、ケース２の下面には、光源部５から発せられた光をケース２内に導くための穴１４があけられている。穴１４は、ケース１の穴９と対向する位置に設けられている。
【００２０】
光源部５は、図２に示すように、光源としての４つの白色ＬＥＤ１５〜１８と、ＬＥＤ１５〜１８から発せられる光をライン状に集光する集光レンズ１９とを備え、４本のライン状の光を色ディスク３に照射する。
【００２１】
光−電気変換部１０は、ＬＥＤ１５〜１８から発せられる光を検出する光検出部２０と、光検出部２０による検出結果に基づいて電気信号を生成する電気信号生成部２１を備えている。図５は光検出部２０を光検出面側から見た外観図である。
【００２２】
光検出部２０は、図５に示すように、４つの受光素子群２２〜２５を備え、互いに隣接する受光素子群との間には仕切り２６が設けられている。受光素子群２２〜２５は、それぞれ３つの受光素子ＤＲ、ＤＧ、ＤＢを備えて構成され、受光素子ＤＲ、ＤＧ、ＤＢの各々は、受光面に特性の異なるカラーフィルタを実装している。例えば、受光素子ＤＲは赤色に相当する波長成分（例えば、波長λ＞６００ｎｍ）の光のみを透過させるカラーフィルタを実装し、受光素子ＤＧは緑色に相当する波長成分（例えば、４８０ｎｍ＜波長λ＜５３０ｎｍ）の光のみを透過させるカラーフィルタを実装し、受光素子ＤＢは青色に相当する波長成分（４００ｎｍ＜波長λ＜４７０ｎｍ）の光のみを透過させるカラーフィルタを実装している。即ち、受光素子ＤＲ、ＤＧ、ＤＢは、それぞれ赤色、緑色、青色の光のみを受光する。
【００２３】
受光素子ＤＲ、ＤＧ、ＤＢは、例えばフォトダイオードであり、光を受光すると電気抵抗が下がる。また、受光素子ＤＲ、ＤＧ、ＤＢの両端には電圧が印加されており、照射された光の光量の変化を電流の変化として、電気信号生成部２１に出力する。即ち、受光素子群２２〜２５各々の受光素子ＤＲ、ＤＧ、ＤＢからの電流変化を監視することで、受光素子群２２〜２５に、どのような色の光が照射されたかを知ることができる。例えば、受光素子群２２に赤色に相当する光と青色に相当する光とが混在した光（紫色に相当する光）が照射された場合、受光素子ＤＲ及びＤＢからの電流が変化する。この電流変化を検出することで受光素子群２２に赤色の光及び青色の光が照射されたことを検出することができる。
【００２４】
図６は図２の光源部５及び光検出部２０の拡大図であり、図７は図３の光源部５及び光検出部２０の拡大図である。図６に示すように、ＬＥＤ１５から発せられる光は色ディスク３の第１トラック３１を透過して、拡散レンズ２７に入射する。拡散レンズ２７は、図７に示すように、入射したライン状の光を拡散して、受光素子群２２の受光素子ＤＲ、ＤＧ、ＤＢに照射する。同様に、ＬＥＤ１６から発せられる光は色ディスク３の第２トラック３２を透過して受光素子群２３の受光素子ＤＲ、ＤＧ、ＤＢに、ＬＥＤ１７から発せられる光は色ディスク３の第３トラック３３を透過して受光素子群２４の受光素子ＤＲ、ＤＧ、ＤＢに、ＬＥＤ１８から発せられる光は色ディスク３の第４トラック３４を透過して受光素子群２５の受光素子ＤＲ、ＤＧ、ＤＢに照射される。
【００２５】
即ち、受光素子群２２は色ディスク３の第１トラック３１に記録された音階情報に対応する色彩の光を受光し、受光素子群２３は色ディスク３の第２トラック３２に記録された音量情報に対応する色彩の光を受光し、受光素子群２４は色ディスク３の第３トラック３３に記録された基準周波数情報に対応する色彩の光を受光し、受光素子群２５は色ディスク３の第４トラック３４に記録された変音情報（♯、♭の有無を示す）に対応する色彩の光を受光する。このように、光−電気変換部１０の光検出部２０は、楽音の音階情報、音量情報、基準周波数情報及び変音情報に対応する色彩の光を一度に受光する。
【００２６】
電気信号生成部２１は、受光素子群２２〜２５の受光素子ＤＲ、ＤＧ、ＤＢからの電流の変化を検出して、検出結果に対応した電気信号を電気−音変換部１１に出力する。具体的には、受光素子群２２の検出結果から音階情報に対応した第１電気信号を出力し、受光素子群２３の検出結果から音量情報に対応した第２電気信号を出力し、受光素子群２４の検出結果から基準周波数情報に対応した第３電気信号を出力し、受光素子群２５の検出結果から変音情報（♯、♭の有無）に対応した第４電気信号を出力する。
【００２７】
実施例１では、受光素子ＤＲ、ＤＧ、ＤＢからの電流の変化を検出したときに、変化値が予め設定されたしきい値以上である場合を"１"、変化値がしきい値よりも小さい場合を"０"とした３ビットのデジタル信号を出力する。
【００２８】
例えば、上記のように、受光素子群２２の受光素子ＤＲ及びＤＢからの電流の変化を検出した場合、受光素子群２２の検出結果として、”１，０，１"（それぞれ、Ｒ，Ｇ，Ｂに対応する）を出力する。同様に、他の３つの受光素子群２３〜２５の検出結果として、それぞれ３ビットのデジタル信号を出力する。
【００２９】
電気−音変換部１１は、電気信号生成部２１から出力された電気信号を受け取り、この電気信号に対応した楽音をスピーカ１２から発生する。図８は電気−音変換部１１の機能構成を示すブロック図である。図８に示すように、電気−音変換部１１は、楽音発生回路２８、メモリ２９、スピーカ１２を備えて構成されている。
【００３０】
メモリ２９は、第１電気信号と音階との対応関係を示す音階テーブル２９１、第２電気信号と音量との対応関係を示す音量テーブル２９２、第３電気信号と音階の基準周波数との対応関係を示す周波数テーブル２９３、第４電気信号と♯♭の有無を示す変音テーブル２９４を記憶している。音階テーブル２９１、音量テーブル２９２、周波数テーブル２９３及び変音テーブル２９４は、本発明の関係データに対応するものである。図９はこれらのテーブルの一例を示す図であり、図９（ａ）は音階テーブル２９１、図９（ｂ）は音量テーブル２９２、図９（ｃ）は周波数テーブル２９３、図９（ｄ）は変音テーブル２９４である。なお、図９に示した音階テーブル２９１、音量テーブル２９２、周波数テーブル２９３及び変音テーブル２９４は一例であり、種々の変更を加えることができる。例えば，図９（ｃ）では、基準周波数として４４０Ｈｚ及び８８０Ｈｚの２パターンの基準周波数が割り振られているが、１〜８パターンの基準周波数を割り振るものとしてもよい。
【００３１】
楽音発生回路２８は、電気信号生成部２１から出力された第１電気信号とメモリ２９に記憶された音階テーブル２９１とを照合して、楽音の音階を決定し、第２電気信号と音量テーブル２９２とを照合して、楽音の音量を決定し、第３電気信号と周波数テーブル２９３とを照合して、音階の基準となる周波数を決定し、第４電気信号と変音テーブル２９４とを照合して、♯と♭の有無を決定する。また、楽音発生回路２８は、上記のように決定された楽音をスピーカ１２に発生させる。即ち、電気−音変換部１１は、第１電気信号〜第４電気信号を一度に受け取り、楽音を発生する。
【００３２】
例えば、第１電気信号が”０，１，０”、第２電気信号が”０，０，１”、第３電気信号が”０，１，１”、第４電気信号が”０，０，０”であった場合、音階がレ、音量が１５ｄＢ、基準周波数が４４０Ｈｚ、♯または♭なしの楽音を発生する。
【００３３】
次に、本発明の実施例１に係る楽音発生装置の動作を図１０に示すフローチャートを用いて説明する。まず、色ディスク３を固定部８ａに固定して電源スイッチ７を投入すると、色ディスク３が回転する。また、光源部５のＬＥＤ１５、１６、１７、１８は、それぞれ色ディスク３の第１トラック３１、第２トラック３２、第３トラック３３、第４トラック３４に白色の光を照射する（ステップＳ１）。
【００３４】
ＬＥＤ１５〜１８から照射された白色光は赤色（Ｒ）、緑色（Ｇ）、青色（Ｂ）の３要素の光を含んだ光である。この白色光は、色ディスク３を透過する際に、色ディスク３上に付されている色による減衰を受け、色ディスク３を透過した光は色ディスク３の色と近い色になる。色ディスク３を透過した光は、光検出部２０に照射される。光検出部２０の受光素子群２２、２３、２４、２５には、それぞれ第１トラック３１、第２トラック３２、第３トラック３３、第４トラック３４を透過した光が照射される。
【００３５】
受光素子群２２〜２５は、色ディスク３を透過した光を受光することにより、色ディスク３に記録された楽音の音階、音量、音階の基準周波数、♯と♭の有無を示す楽音情報を色情報として受け取る（ステップＳ２）。電気信号生成部２１は、受光素子群２２、２３、２４、２５が受光した光をそれぞれ第１電気信号、第２電気信号、第３電気信号、第４電気信号に変換して電気−音変換部１１に出力する（ステップＳ３）。
【００３６】
電気−音変換部１１の楽音発生回路２８は、電気信号生成部２１から出力された第１電気信号、第２電気信号、第３電気信号、第４電気信号をメモリ２９に記憶されている音階テーブル２９１、音量テーブル２９２、周波数テーブル２９３、変音テーブル２９４と照合することにより、発生させる楽音を決定してスピーカ１２に該楽音を発生させる。即ち、電気信号を楽音に変換する（ステップＳ４）。
【００３７】
本発明の実施例１に係る楽音発生装置は、上記のステップＳ１〜Ｓ４で１音の楽音を発生する。また、楽音発生装置は、色ディスク３を回転させながら、同様に動作して楽曲を演奏する。例えば、色ディスク３は１曲分の楽音情報を記録し、１回転で１曲を演奏し終え、再び最初から演奏する。
【００３８】
このように、本発明の実施例１に係る楽音発生装置は、色ディスク３は、透明なディスク上を光透過性の色彩で配色することで楽音情報を記録し、光源部５は、色ディスク３に白色の光を照射して、楽音情報に対応した色彩の光を透過させ、光−電気変換部１０は、色ディスク３を透過した透過光を電気信号に変換して出力する。電気−音変換部１１は、光−電気変換部１０から出力された電気信号を楽音に変換してスピーカ１２から楽音を発生するので、発生する楽音と色ディスク３を透過する光の色彩との対応づけを効果的に演出することができるため、光による付加的効果を高めることができ且つ音と光の対応関係を捉えやすくすることができる。
【実施例２】
【００３９】
実施例２に係る楽音発生装置は、色ディスクに楽音情報を記録する際の記録方法及び電気信号を楽音に変換する際に用いるテーブルが実施例１に係る楽音発生装置と異なる。また、実施例２の光源部５は、ＬＥＤ１７及びＬＥＤ１８を省略することができ、実施例２の光検出部２０は、受光素子群２４及び受光素子群２５を省略することができる。即ち、実施例２では、光源部５のＬＥＤ及び光検出部２０の受光素子群は２つでよい。その他の構成は、実施例１に係る楽音発生装置の構成と略同一であり、同一部分には同一符号を付し、重複する説明は省略する。
【００４０】
図１１は実施例２に係る楽音発生装置に用いられる色ディスク３ａを示す図である。図１１に示すように、色ディスク３ａは、楽音の音階情報及び音階の基準周波数情報が記録された第１トラック４１と、楽音の音量情報及び変音情報（♯、♭の有無）が記録された第２トラック４２とを有している。なお、第１トラック４１及び第２トラック４２に記録する楽音情報の組み合わせは、変更することができる。例えば、第１トラック４１に音階情報及び音量情報を記録し，第２トラック４２に基準周波数情報及び変音情報を記録するものとしてもよい。
【００４１】
即ち、１つのトラックに２種類の楽音情報が記録されている。１つのトラックに記録されている２種類の楽音情報の内の一方は、実施例１と同様に、受光素子ＤＲ、ＤＧ、ＤＢの内のどの受光素子から電流を検出したかにより読み取られ、他方は、受光素子ＤＲ、ＤＧ、ＤＢからの電流値を監視して電流値の大きさに基づいて、受光素子ＤＲ、ＤＧ、ＤＢに照射された光の色調（色の濃淡）を検出することにより読み取られる。
【００４２】
図１２は実施例２の電気−音変換部１１のメモリ２９に記憶されたテーブル（本発明の関係データ）の一例を示す図であり、図１２（ａ）は受光素子群２２の検出結果と楽音の音階及び音階の基準周波数との対応関係を示す音階・周波数テーブル、図１２（ｂ）は受光素子群２３の検出結果と楽音の音量及び変音（♯と♭の有無）との対応関係を示す音量・変音テーブルである。
【００４３】
図１２（ａ）に示すように、実施例２の電気−音変換部１１は、受光素子群２２の受光素子ＤＲ、ＤＧ、ＤＢの内のどの受光素子から電流を検出したかを判断して、楽音の音階を決定し、受光素子ＤＲ、ＤＧ、ＤＢに照射された光の色調に応じて基準周波数を決定する。
【００４４】
図１２（ｂ）に示すように、実施例２の電気−音変換部１１は、受光素子群２３の受光素子ＤＲ、ＤＧ、ＤＢの内のどの受光素子から電流を検出したかを判断して、楽音の音量を決定し、受光素子ＤＲ、ＤＧ、ＤＢに照射された光の色調に応じて♯と♭の有無を決定する。
【００４５】
このように、本発明の実施例２に係る楽音発生装置の色ディスク３ａは、楽音情報が記録されるトラックが２つであるため、光源部５のＬＥＤを２つにすることができる。また、光検出部２０の受光素子群も２つにすることができる。このため、装置を簡単化できるとともに装置の低コスト化を図ることができる。
【実施例３】
【００４６】
実施例３に係る楽音発生装置は、色ディスクに楽音情報を記録する際の記録方法及び電気信号を楽音に変換する際に用いるテーブルが実施例１及び実施例２に係る楽音発生装置と異なる。また、実施例３の光源部５は、ＬＥＤ１６、ＬＥＤ１７及びＬＥＤ１８を省略することができ、実施例３の光検出部２０は、受光素子群２３、受光素子群２４及び受光素子群２５を省略することができる。即ち、実施例３では、光源部５のＬＥＤ及び光検出部２０の受光素子群は１つでよい。その他の構成は、実施例１に係る楽音発生装置の構成と略同一であり、同一部分には同一符号を付し、重複する説明は省略する。
【００４７】
図１３は実施例３に係る楽音発生装置に用いられる色ディスク３ｂを示す図である。図１３に示すように、色ディスク３ｂは、第１トラック５１に楽音の音階情報、音階の基準周波数情報、楽音の音量情報及び変音情報（♯、♭の有無）が記録されている。
【００４８】
即ち、１つのトラックに４種類の楽音情報が記録されている。１つのトラックに記録されている４種類の楽音情報の内の一つは、実施例１と同様に、受光素子ＤＲ、ＤＧ、ＤＢの内のどの受光素子から電流を検出したかにより読み取られ、他の３つは、受光素子ＤＲ、ＤＧ、ＤＢからの電流値を監視して電流値の大きさに基づいて、受光素子ＤＲ、ＤＧ、ＤＢに照射された光の色調（色の濃淡）を検出することにより読み取られる。
【００４９】
図１４は実施例３の電気−音変換部１１のメモリ２９に記憶されたテーブル（本発明の関係データ）の一例を示す図である。図１４に示すように、実施例３の電気−音変換部１１は、受光素子群２２の受光素子ＤＲ、ＤＧ、ＤＢの内のどの受光素子から電流を検出したかを判断して、楽音の音階を決定し、受光素子ＤＲ、ＤＧ、ＤＢに照射された光の色調に応じて基準周波数、音量、♯と♭の有無を決定する。
【００５０】
このように、本発明の実施例３に係る楽音発生装置の色ディスク３ｂは、楽音情報が記録されるトラックが１つであるため、光源部５のＬＥＤを１つにすることができる。また、光検出部２０の受光素子群も１つにすることができる。このため、装置のさらなるを簡単化及び低コスト化を図ることができる。
【実施例４】
【００５１】
実施例４に係る楽音発生装置は、実施例１〜３に係る楽音発生装置のケース２に設けられた拡散レンズ２７の替わりに分光器６０を設けたものである。その他の構成は、実施例１〜３に係る楽音発生装置の構成と略同一であり、同一部分には同一符号を付し、重複する説明は省略する。
【００５２】
図１５は実施例４に係る楽音発生装置を右側面から見たときの光検出部２０及び光源部５を示す図である。図１５に示すように、実施例４の光検出部２０及び光源部５は、拡散レンズ２７の替わりに分光器６０が設けられている。
【００５３】
分光器６０は、色ディスク３を透過した光を赤色、緑色、青色に相当する各波長成分に分光して、赤色、緑色、青色に相当する光をそれぞれ異なる位置に照射する。受光素子ＤＲは、分光された光の内の赤色に相当する光が到達する位置に配置されている。受光素子ＤＧは、分光された光の内の緑色に相当する光が到達する位置に配置されている。受光素子ＤＢは、分光された光の内の青色に相当する光が到達する位置に配置されている。
【００５４】
このように、本発明の実施例４に係る楽音発生装置は、拡散レンズ２７の替わりに分光器６０を設けたので、実施例１〜３の受光素子ＤＲ、ＤＧ、ＤＢに実装されたカラーフィルタを省略することができる。
【実施例５】
【００５５】
実施例５に係る楽音発生装置は、実施例１〜４に係る楽音発生装置において、色ディスクを回転させるモータ８を装置正面から見て左右方向に移動させる構成を追加したものである。
【００５６】
図１６は実施例５に係る楽音発生装置を正面から見た見取り図である。図１６に示すように、実施例５に係る楽音発生装置は、色ディスクを回転させるためのモータ８がケース１内に設けられた台６２上に固定され、台６２を装置正面から見て左右方向に移動させるためのモータ６１が設けられている。
【００５７】
モータ６１は、ケース１内の側面に固定され、回転軸は螺旋状の溝を有したねじ軸６１ａと連結されている。台６２は、装置正面から見て左右方向に移動可能に設置され、モータ６１のねじ軸６１ａが螺合される軸受６３を備えている。即ち、モータ６１のねじ軸６１ａを台６２の軸受６３に螺合させた状態でモータ６１を回転させると台６２が装置正面から見て左右方向に移動する。
【００５８】
図１７は実施例５の色ディスク３ｃを示す図である。図１７に示すように、実施例５の色ディスク３ｃは、楽音情報が渦巻状に記録されている。音階情報、音量情報、基準周波数情報、変音情報の各楽音情報は、実施例１のように各々が独立したトラック上に記録されるものとしてもよいし、実施例２または実施例３のように１つのトラックに複数種類が記録されるものとしてもよい。
【００５９】
色ディスク３ｃに記録された楽音情報を読み出す場合は、モータ８により色ディスク３ｃを回転させるとともにモータ６１により台６２を装置正面から見て左右方向に移動させる。台６２を左右方向に移動させることで、台６２上に固定されたモータ８及びモータ８に固定された色ディスク３ｃも左右方向に移動する。台６２の左右移動は、色ディスク３ｃの回転に同期している。このため、図１７に示したように、渦巻状に記録された楽音情報を読み出すことができる。
【００６０】
このように、実施例５に係る楽音発生装置は、色ディスク３の回転に同期して、色ディスク３を回転させるためのモータ８が左右方向に移動するので、渦巻状に楽音情報が記録された色ディスク３ｃから楽音情報を読み出すことができる。
【産業上の利用可能性】
【００６１】
本発明は、楽音を発生するとともに該楽音と対応付けられた色彩の光を発する楽音発生装置として、例えば、インテリアや教育用の玩具等として利用可能である。
【図面の簡単な説明】
【００６２】
【図１】本発明の実施例１に係る楽音発生装置の外観斜視図である。
【図２】本発明の実施例１に係る楽音発生装置を装置正面から見た見取り図である。
【図３】本発明の実施例１に係る楽音発生装置を装置右側面から見た見取り図である。
【図４】本発明の実施例１に係る色ディスクを示す図である。
【図５】本発明の実施例１に係る光検出部を光検出面から見た外観図である。
【図６】図２の光源部及び光検出部の拡大図である。
【図７】図３の光源部及び光検出部の拡大図である。
【図８】本発明の電気−音変換部の機能構成図である。
【図９】本発明の実施例１に係る電気−音変換部のメモリに記憶された変換テーブルの一例を示す図である。
【図１０】本発明の楽音発生装置の動作を示すフローチャートである。
【図１１】本発明の実施例２に係る色ディスクを示す図である。
【図１２】本発明の実施例２に係る電気−音変換部のメモリに記憶された変換テーブルの一例を示す図である。
【図１３】本発明の実施例３に係る色ディスクを示す図である。
【図１４】本発明の実施例３に係る電気−音変換部のメモリに記憶された変換テーブルの一例を示す図である。
【図１５】本発明の実施例４に係る楽音発生装置を装置右側面から見たときの光源部及び光検出部を示す図である。
【図１６】本発明の実施例５に係る楽音発生装置を装置正面から見たときの見取り図である。
【図１７】本発明の実施例５に係る色ディスクを示す図である。
【符号の説明】
【００６３】
１、２…ケース
３、３ａ、３ｂ、３ｃ…色ディスク
４…支柱
５…光源部
６…電源部
７…電源スイッチ
８…モータ
８ａ…固定部
９、１３、１４…穴
１０…光−電気変換部
１１…電気−音変換部
１２…スピーカ
１５〜１８…ＬＥＤ
１９…集光レンズ
２０…光検出部
２１…電気信号生成部
２２〜２５…受光素子群
２７…拡散レンズ
２８…楽音発生回路
２９…メモリ
６０…分光器
６１…モータ
６１ａ…軸
６２…台
６３…軸受
【図１】
2006323287.tif 000003
【図２】
2006323287.tif 000004
【図３】
2006323287.tif 000005
【図４】
2006323287.tif 000006
【図５】
2006323287.tif 000007
【図６】
2006323287.tif 000008
【図７】
2006323287.tif 000009
【図８】
2006323287.tif 000010
【図９】
2006323287.tif 000011
【図１０】
2006323287.tif 000012
【図１１】
2006323287.tif 000013
【図１２】
2006323287.tif 000014
【図１３】
2006323287.tif 000015
【図１４】
2006323287.tif 000016
【図１５】
2006323287.tif 000017
【図１６】
2006323287.tif 000018
【図１７】
2006323287.tif 000019